(57)【要約】要約課題  ボルトの衝撃を緩衝することによってボルトストップ部材に繰り返し衝撃が加えられても、極めて破損し難く、高い耐久性を発揮する銃におけるボルトストップ緩衝装置を提供する。解決手段  銃本体に前進後退可能に設けられ、銃の操作に伴って後退しながらバッファースプリングを蓄圧し、その蓄圧力の解放によって前進するボルトと、前進しているボルトを停止させるボルトストップ部材とを備えた銃におけるボルトストップ装置について、ボルトストップ部材６２は、前進するボルト２９と係合する係合手段５９を有し、上記係合手段によってボルトストップ部材に加えられる衝撃力を緩衝するために、ボルトストップ部材に作用する緩衝手段７０を具備する。選択図          図２
2016181507.tif 000002
【特許請求の範囲】
【請求項１】
銃本体に前進後退可能に設けられ、銃の操作に伴って後退しながらバッファースプリングを蓄圧し、その蓄圧力の解放によって前進するボルトと、前進しているボルトを停止させるボルトストップ部材とを備えた銃におけるボルトストップ装置であって、
ボルトストップ部材は、前進するボルトと係合する係合手段を有し、上記係合手段によってボルトストップ部材に加えられる衝撃力を緩衝するために、ボルトストップ部材に作用する緩衝手段を具備したことを特徴とする
銃におけるボルトストップ緩衝装置。
【請求項２】
銃本体は、銃の操作に伴って装弾部に供給される弾丸の有無を検出する弾切れ検出手段を有し、上記弾切れ検出手段は、弾切れを検出することによって、ボルトストップ部材をボルトが前進後進する軌道内に突出させ、係合手段による係合を可能にするためのリンク機構を具備している
請求項１記載の銃におけるボルトストップ緩衝装置。
【請求項３】
ボルトストップ部材は、ボルトと緩衝手段の間に介在するボルトストップ部を構成しており、銃本体側に設けられた軸が配置される前後方向の長孔を有し、上記長孔の範囲で移動可能、かつ、軸を中心として回転可能に設けられ、係合手段はボルトに設けられた係合部とボルトストップ部材に設けられた係合相手部とから成り、ボルトの前進方向に対して鋭角を構成するように設けられている
請求項１又は２記載の銃におけるボルトストップ緩衝装置。
【発明の詳細な説明】
【技術分野】
【０００１】
本発明は、銃本体に前進後退可能に設けられ、銃の操作に伴ってバッファースプリングを蓄圧し、その解放によって前進するボルトと、上記前進中のボルトを停止させるボルトストップとを備えたボルトストップ緩衝装置に関するものである。
【背景技術】
【０００２】
銃の操作に伴ってバッファースプリングを蓄圧し、その解放によって前進するボルトを有する銃には、ボルトストップ機構が用いられている。例えば、模擬銃ではガスブローバック式の銃が該当し、実弾を発射する銃（以下、実銃という。）では自動装填式銃が該当する。これらのタイプの銃ではボルトの前進により弾丸を装填するためにボルトストップに衝突して停止する。このような衝突、停止動作は、弾丸を撃ち尽くしたときにその都度繰り返される。【０００３】
従って、ボルトが衝突するごとにボルトストップに大きな衝撃が加わり、金属疲労を起こし易く、最悪の場合にはボルトストップを破損させることがある。ボルトストップの破損は、それが直ちに発射不能につながることは少ないとしても問題となる事項である。この問題は実銃においても指摘されることであるが、実銃を模してデザインされる模擬銃にも共通して起こることである。しかし、この問題について改善策があるかどうかは現時点において把握することができない。【０００４】
先行技術を調査すると、例えば特開平１０−１９７２００号公報の発明には、トリガーが引かれているか否かにより第１及び第２の位置を選択的にとる係止部材と、銃身に沿って前進するとき、装弾室への弾丸供給と弾丸の発射とがガス圧により行われる状態となすとともに、ガス圧が供給されて後退に転じ、銃身に沿って後退するとき、装弾室への弾丸供給のための準備状態となすとともに、ガス圧が排出されて前進に転じる進退ボルトと、進退ボルトに設けられ、その前進により第１の位置をとる係止部材に当接して進退ボルトを待機位置に維持する前方当接部と、突出部を有して進退ボルトに移動可能に配され、それに対して後方に移動した位置において、突出部が第１の位置をとる係止部際に当接して進退ボルトを中間停止位置に維持する可動レバー部材とを備えた発明が開示されている。【０００５】
上記発明の玩具銃では、係止部材とよばれるボルトストップに当接することによりボルトの前進が阻止されるが、係止部材は軸により銃本体に回転可能に軸支されている。このため、前進しているボルトが当接する際の衝撃は、直に係止部材にかかることになり、ボルトの質量は比較的大きいことから、その衝撃がボルトストップに繰り返し加えられると耐え切れず、従来のボルトストップと同様にやがて破損してしまうおそれがある。【０００６】
【特許文献１】特開平１０−１９７２００号公報
【発明の開示】
【発明が解決しようとする課題】
【０００７】
本発明は前記の点に鑑みなされたもので、その課題は、ボルトの衝撃を緩衝することによってボルトストップ部材に繰り返し衝撃が加えられても、極めて破損し難く、高い耐久性を発揮する銃におけるボルトストップ緩衝装置を提供することである。また、本発明の他の課題は、弾丸が打ち終わったことを検出し、マガジンを交換して再装填するときにボルトストップ部材をボルトとの係合から解除することによって、再び装填レバー（チャージングハンドル）を操作する必要がなくなるという機能を維持しつつ、ボルトの前進による衝撃を吸収できるようにすることである。
【課題を解決するための手段】
【０００８】
前記の課題を解決するため、本発明は、銃本体に前進後退可能に設けられ、銃の操作に伴って後退しながらバッファースプリングを蓄圧し、その蓄圧力の解放によって前進するボルトと、前進しているボルトを停止させるとボルトストップ部材を備えた銃におけるボルトストップ装置として、ボルトストップ部材は、前進するボルトと係合する係合手段を有し、上記係合手段によってボルトストップ部材に加えられる衝撃力を緩衝するために、ボルトストップ部材に作用する緩衝手段を具備して構成するという手段を講じたものである。【０００９】
本発明に係るボルトストップ装置を適用する銃は、ガスガン等に代表されるいわゆる模擬銃を主な対象として想定されている。しかし、圧縮ガスを使用する模擬銃も火薬の燃焼によるガスを使用する実銃も、ガスをブロックするボルトを有する点において変わりはなく、従って、実銃についても本発明の実施対象となり得るものである。また、この種の銃には、いわゆる単射専用銃と連射、単射切換え式の銃があり、実施形態は後者の銃を対象としたものであるが、前者の銃についても本発明を適用することは可能である。【００１０】
そして、ボルトストップ部材は、前進するボルトと係合する係合手段を有し、上記係合手段によってボルトストップ部材に加えられる衝撃力を緩衝するために、ボルトストップ部材に直接又は間接に作用する緩衝手段を具備したことを特徴とする。この構成は最小限度の構成要件として、ボルトストップ部材およびこれに作用する緩衝手段とがあれば、本発明が成立するという趣旨であり、これら以外の要件を本発明に付加し得ることは当然である。【００１１】
例えば、銃本体が、銃の操作に伴って装弾部に供給される弾丸の有無を検出する弾切れ検出手段を有し、上記弾切れ検出手段は、弾切れを検出することによって、ボルトストップ部を構成するボルトストップ部材をボルトが前進後進する軌道内に突出させ、係合手段による係合を可能にするためのリンク機構を具備しているという構成は、本発明において好ましいものである。すなわち、連射、単射切換え式の銃では、連射で撃つと弾の減りが早くマガジンの交換が多くなりボルトストップのかかる頻度が増えるので、本発明による衝撃の緩衝がより効果的にあらわれる。【００１２】
また、ボルトストップ部材を構成するボルトストップ部材が、銃本体側に設けられた軸が配置される前後方向の長孔を有し、上記長孔の範囲で移動可能、かつ、軸を中心として回転可能に設けられ、係合手段はボルトに設けられた係合部とボルトストップ部材に設けられた係合相手部とから成り、ボルトの前進方向に対して鋭角を構成するように設けられているものも好ましいものである。係合が確実になされることによって、所期の目的を十分に達成することができる。
【発明の効果】
【００１３】
本発明は以上のように構成され、かつ、作用するものであるから、ボルトの衝撃を緩衝手段によって吸収、緩和することができ、ボルトストップ部材に繰り返し衝撃が加えられても極めて破損し難く、高い耐久性を発揮する銃におけるボルトストップ緩衝装置を提供することができるという効果を奏する。また、本発明によれば、弾丸が打ち終わったことを検出し、マガジンを交換して再装填するときにボルトストップ部材をボルトとの係合から解除することによって、再び装填レバー（チャージングハンドル）を操作する必要がなくなるという機能を維持しつつ、ボルトの前進による衝撃を吸収できる。
【図面の簡単な説明】
【００１４】
【図１】本発明に係る銃におけるボルトストップ緩衝装置を適用したガスガンの一例を示す断面説明図である。
【図２】同上の装置の要部を拡大して示す断面説明図である。
【図３】図２のＩＩＩ−ＩＩＩ線における横断面図である。
【図４】同上の装置の作動状態を示すもので、Ａは最終弾丸の発射前の状態、Ｂは最終弾丸の発射された状態をそれぞれ示す断面説明図である。
【図５】同上の装置の作動状態を示すもので、Ａはボルトが最大限後退した状態、Ｂはボルトが前進を開始した状態をそれぞれ示す断面説明図である。
【図６】同上の装置の作動状態を示すもので、Ａはボルトストップ部材の最前進位置を示す状態、Ｂは緩衝スプリングによって長孔の範囲でボルトストップ部材が後退した状態をそれぞれ示す断面説明図である。
【図７】ガスガンの作動を示すもので、Ａはボルトを手動で後退させた状態、Ｂは手動操作で弾丸が装填された状態をそれぞれ示す断面説明図である。
【図８】同じくＡは弾丸が発射された状態、Ｂはボルトが後退を開始した状態をそれぞれ示す断面説明図である。
【図９】同じくＡはボルトによりハンマーをコッキングしている状態、Ｂはピストンが後退を開始した状態をそれぞれ示す断面説明図である。
【図１０】同じくＡはボルトが最大後退位置にある状態、Ｂはボルトが前進するとともに弾丸が装弾部に供給された状態をそれぞれ示す断面説明図である。
【発明を実施するための最良の形態】
【００１５】
以下図示の実施形態を参照して本発明をより詳細に説明する。本発明の銃におけるボルトストップ緩衝装置はあらゆる銃に適用されるもので、ガスガンに限定されるものではないが、便宜上、ガスガンの概略について初めに説明する。【００１６】
図１に模擬銃Ｇとして例示されているのはブローバック式ガスガンである。図示の模擬銃Ｇは銃本体の中央部に発射装置部１０を具備し、銃本体１０の前部にバレル部１１、銃本体の下部にマガジン部２２、銃本体の後部にブローバック用ボルト２９のための可動体部３０をそれぞれ具備している。【００１７】
バレル部１１には装弾部１２が後部に設けられており、装弾部１２に装填される弾丸Ｂに向けて、発射装置部１０に設けられた差圧弁機構２０を介してガスが噴射され、その結果、弾丸Ｂが発射される。発射装置部１０にはピストン機構部１５があり、ピストン機構部１５はバレル軸線方向へ移動可能に配置されたピストン１３と、ピストン１３の移動空間の役を果たすシリンダー１４とを有している。ピストン１３は、弾丸Ｂに対してガスを噴射するノズル部１６を先端に有し、かつ、シリンダー１４の閉塞端に向けた開口を後端に有する中空筒状に形成されている。【００１８】
ピストン１３には、内外を通じるガス流入口１７が前端寄りの下部に開口しており、ガス流入口１７の付近に上記の差圧弁機構２０が設けられている。差圧弁機構２０は先端のノズル部１６との間に配置された差圧弁１８と、差圧弁１８の前進後退が可能な弁室１９と、弁室内に配置された戻しばね２１とを有する。差圧弁１８は、その外径が弁室１９の内径に対して滑り嵌め程度の寸法差となるように設定されている。【００１９】
また、差圧弁１８は先端側が開口し、後端側が閉じた筒型弁から成り、その周面にガス通孔１８ａを有している。よって、戻しばね２１により後退して装弾部１２にある弾丸Ｂを発射させ、その後も継続して流入するガスの圧力により前進して閉弁するとともに、ガス流をシリンダー１４に導く構成である。このように圧力差によって弁体の作動方向が変わるため、差圧弁と称する。ガス流はシリンダー１４に導かれて、ブローバック動作に利用される。【００２０】
ガスは、マガジン部２２内のガスタンク２３に充填されており、そこから後述するトリガー操作に伴い、開閉弁機構２５を介してピストン機構部１５に供給される。開閉弁機構２５は、ガスタンク２３からピストン機構部１５へ至るガス流路２４、ガス流路２４の開閉のために設けられた開閉弁２６を有し、ガス流路端の流出口２７からガスを流入口１７へ流出させる。なお、開閉弁２６は、トリガー操作により作動する後述のハンマー４０によって打圧されるように、外部に露出した弁軸２６ａを有している。【００２１】
ピストン機構部１５において、ピストン１３は引っ張りばねから成るリターンスプリング２８によって後方へ付勢されている。上記ピストンリターンスプリング２８は前端部がピストン側の部材５９ａに、後端部がシリンダー側の部材５９ｂに取り付けられている。ボルト２９は、模擬的なリコイルショックを体感させるために必要な質量を備えており、実施形態のボルト２９は前後に細長い軸状に形成されている。なお、シリンダー１４は、ボルト２９と一体的に設けられており、従って、シリンダー１４の質量はボルト２９に加わることになる。【００２２】
上記ボルト２９の後方には可動体部３０が配置されており、可動体部３０は銃本体に取り付けたケーシング３０ｃと、その内部に配置された可動軸３０ａとを有している。可動軸３０ａはケーシング３０ｃの内部にて前進後退可能に設けられており、軸頭３０ｂにてボルト２９の後端と係合するように構成されている。図中、符号３１はバッファースプリングを示しており、バッファースプリング３１は可動軸３０ａを前進方向へ付勢し、それによって最終的にはピストン機構部１５を発射準備状態に置くように作用する。また、バッファースプリング３１はボルト２９を後退動作時に受け止め、リコイルショック終了時の衝撃を調整する手段としても機能する。【００２３】
発射装置部１０の作動のために、トリガー３２が設けられている。トリガー３２は二部材３２Ａ、３２Ｂを組み合わせて構成されており、トリガー部材３２Ａは操作部、また、トリガー部材３２Ｂは被操作部材である。これらの二部材３２Ａ、３２Ｂは軸３３を中心に回転可能であり、トリガースプリング３４によって、相互に離間する方向に付勢されている。３５はディスコネクターであり、トリガー部材３２Ａに同軸に設けられて連射、単射の選択を可能にするもので、セレクター３６により制御される。【００２４】
トリガーの部材３２Ａは、前述のハンマー４０をコッキング状態に係止する。３７はコッキング状態に保持するトリガー側の係止部、３８は同じくハンマー側の係止部を示す。３９はハンマースプリングで、コッキング時に蓄圧状態になる。従って、トリガー３２Ａを操作すると、係止部３７、３８の係合が解除されるのでハンマースプリング３９の蓄圧も解放され、ハンマー４０が作動することになる。【００２５】
上記ハンマー４０は、コッキング時にシア４１との係合状態に置かれる。シア４１にはばね４２が作用しており、ハンマー４０のコッキングを維持する方向に作用する。ハンマー４０はシリンダー１４の後退によってコッキングされる。そのため、シリンダー１４の後端の下部に、カム状の係合突部４３が設けてあり、ハンマー４０には係合突部４４が軸支されている。符号４５はハンマー４０の打圧部であり、ノッカー４６を介して弁軸２６ａを駆動する。４７はボルト突部を示しており、シア４１をシアばね４２に抗して回転させ、コッキング状態にあるハンマー４０を回転可能にするものである。４８は装填レバー（チャージングハンドル）を示しており、シリンダー１４の前側に係合する操作によって後退させ、ハンマー４０をコッキングすることができる。突部４４、４７は単なる突部でもロールでもどちらでも良い。【００２６】
本発明に係る銃におけるボルトストップ緩衝装置は、図２に詳細に実施形態を示している。この実施形態のガスガンは、緩衝装置の主要部が銃本体の右側に位置しているため、便宜上、図２、図４〜図６では銃本体も図１等とは逆に右向きに図示している。
実施形態のボルトストップ緩衝装置は、銃の操作に伴って蓄圧され、バッファースプリング３１の解放によって前進するボルト２９と、上記前進しているボルト２９を停止させるボルトストップ部材６２とを備えた構成を有する。特に、実施形態のものは弾切れ検出手段５１の作動によって、ボルト２９が前進後退する軌道内Ｘにボルトストップ部材６２を突出させる構成を有し、緩衝手段７０を用いて、前進に転じたボルト２９と前記ボルトストップ部材６２が衝突したときに生じる衝撃を吸収するものである。【００２７】
マガジン部２２に装填されている最後の弾丸Ｂが発射されたことを検出するために、マガジン部２２内に装備され弾丸によって圧縮されていたフォロワースプリング５７がその弾発力によって伸びると、それにつれて上昇するフォロワー５３が設けられている。フォロワー５３はフォロワーレバー５３ａを有し、上記レバー５３ａはフォロワーリンク５４の一端部５４ａと係合し、弾切れ検出手段５１の前段部分を構成する。実施形態として図示した弾切れ検出手段５１は、さらに、軸部５４ｂによって搖動可能に軸支されているフォロワーリンク５４と中間リンク５５とを有している。【００２８】
フォロワーリンク５４の他端部５４ｃは、中間リンク５５の一端部５５ａと係合しており、フォロワーリンク５４と中間リンク５５は、それぞれ軸部５４ｂ、５５ｂによって搖動可能に軸支されている。中間リンク５５の他端部５５ｃはボルトストップ部６０との間の中継部材６１の一端部６１ａと係合し、ボルトストップ部６０を、ボルト２９が前進後進する軌道Ｘ内に突出させる。フォロワーリンク５４と中間リンク５５は、弾切れ検出手段５１とボルトストップ部６０とを連絡するリンク機構５６を構成する。【００２９】
上記中継部材６１は、ボルトストップ部材６２などと共にボルトストップ部６０を構成する。中継部材６１の一端部６１ａは、前記中間リンク５５の他端部５５ｃと係合し、中継部材６１の他端部６１ｂは、ボルトストップ部材６２と溝部６２ａにて係合している。従って、弾切れ検出手段５１が弾切れを検出すると、装弾部１２に配置された弾丸Ｂが撃ち尽くされたという弾切れ情報がリンク機構５６によってボルトストップ部６０まで順次伝達されることになる。【００３０】
図３を参照すると、中継部材６１は銃本体の左右にわたる部材として図示されており、左側の軸６１ｃによって銃本体側に軸支され、軸周りの回転によって右側の部分（図２にクランク状にあらわれている。）が上下動可能になるように設けられている。また、中継部材６１は、軸６１ｃの上部に位置して銃本体左側にあらわれる操作部６１ｄを有し、下部にはばね６１ｅが作用していて、中継部材６１を定位置に戻し、かつ、後述するボルトストップ部材６２を押し下げるように設けられている。【００３１】
ボルトストップ部材６２には前後方向の長孔６２ｂが形成され、軸６５によって銃本体側に搖動可能に軸支されており、従って、ボルトストップ部材６２は長孔６２ｂ内におけるストローク量だけ移動可能であり、かつ、軸６５を中心に回転可能である。この構成の結果、リンク機構５６により、中継部材６１を介して、ボルトストップ部材６２の係合相手部６２ｃの側が上昇し、ボルト２９が前進後進する軌道Ｘ内に突出可能となる。【００３２】
ボルト２９には係合手段５９の一方として係合部２９ａが設けられており、この係合部２９ａは、係合手段５９の他方として上記ボルトストップ部材６２に設けられている係合相手部６２ｃと係合可能に構成されている。特に、実施形態の上記係合部２９ａと係合相手部６２ｃとは、ボルト２９の前進方向に対して鋭角を構成する傾斜部として設けられている。上記係合部２９ａと係合相手部６２ｃの傾斜は、ボルトストップ部材６２が前後方向の長孔６２ｂにて軸６５によって軸支されているため、係合部２９ａと係合相手部６２ｃを直角にした場合に起こり得る、係合の不安定を解消し確実化を図る意図である。【００３３】
前記ボルトストップ部６０には緩衝手段７０が作用している。実施形態の緩衝手段７０は、緩衝リンク６７と、銃本体側の取付け部６６に前後方向へ移動可能に組み込まれた緩衝軸６８及び緩衝スプリング６９を有している。上記緩衝リンク６７は軸６７ｂにて銃本体側に揺動可能に軸支されており、一端がボルトストップ部材６２の前部係合部６２ｄに係合し、他端は緩衝軸６８の先端に係合する。よって、ボルト２９の前進に伴う衝突時にボルトストップ部６２が銃口方向へ移動する衝撃が緩衝手段７０に伝達される。【００３４】
なお、中継部材６１とボルトストップ部材６２は、銃口から銃床の方向に並んでいるため、ボルト２９が前進する際にボルトストップ部６０におけるボルトストップ部材６２と衝突するものの、中継部材６１はボルト２９に接触しない形状であり、ボルトストップ部材６２が最大移動時でも接触しない形状であるから、中継部材６１には直接接触しない。ボルトストップ部材６２は長孔６２ｂにて軸６５と係合しているために、長孔６２ｂの長さを最大限度として移動可能である。最大移動時、ボルトストップ部材６２の溝部６２ａに、中継部材６１の他端部６１ｂがさらに入り込む状態となる。【００３５】
このように構成された本発明の銃におけるボルトストップ緩衝装置において、最終の弾丸Ｂが装弾部１２にある状態において（図４Ａ）、弾丸Ｂが発射され、マガジン部２２の弾丸Ｂが空になると、ボルト２９が後退を開始し、フォロワー５３がフォロワースプリング５７の弾発力によって装弾部１２の後方付近の最高位置まで上昇し、フォロワーレバー５３ａと係合するフォロワーリンク５４の一端部５４ａが押し上げられる（図４Ｂ）。この押し上げに伴う動作は、フォロワーリンク５４から中間リンク５５及び中継部材６１を介してボルトストップ部材６２にまで伝達される。【００３６】
ボルト２９が最大限後退した状態になると（図５Ａ）、フォロワー５３は最高位置まで上昇を完了し、上記リンク機構５６の伝達作用によってボルトストップ部材６２の作動が完了する。その結果、ボルトストップ部材６２は軸６５を中心に回転し、先端側が中継部材６１によって押し上げられ、傾斜部から成る係合相手部６２ｃは、ボルト２９が前進後進する軌道Ｘ内に突出する。ボルト２９は、後退に伴って蓄圧されたバッファースプリング３１の弾発力を受けて前進に転じ、係合部２９ａと係合相手部６２ｃが傾斜部にて係合する（図５Ｂ）。【００３７】
ボルト２９がさらに前進すると、ボルトストップ部材６２は係合手段５９によって前方へ連行され、軸６５は配置されている長孔６２ｂの前端から後端に移動する（図６Ａ）。ボルトストップ部材６２が上記移動をする間に、その前部係合部６２ｄが係合している緩衝リンク６７を一端部６７ａにて押圧し、他端６７ｃにて係合している緩衝軸６８を押圧する。よって、ボルト２９の前進に伴う衝突時にボルトストップ部６２が銃口方向へ移動する衝撃が緩衝手段７０に吸収され、ボルト２９は緩やかに停止する。次いで、緩衝スプリング６９の弾性力によってボルトストップ部材６２が後方へ押し戻され、ボルト２９は図５Ｂの位置まで後退し、緩衝装置の作動が完了する。【００３８】
なお、本発明における模擬銃Ｇについて、全体的な作動を説明すると以下のとおりである。装填レバー４８の手動操作によりボルト２９を後退させて、ハンマー４０をコッキング状態とする（図７Ａの状態）。装填レバー４８を離すとボルト２９はバッファースプリング３１によって前進し、それと一体的に移動するピストン機構部１５のノズル部１６によって、一発の弾丸Ｂが装弾部１２に装填される（図７Ｂ）。【００３９】
次いで、トリガー３２Ａを引いてハンマー４０が作動するとノッカー４６を介して弁軸２６ａが押し込まれ、開閉弁機構２５が開弁し、圧縮ガスがガス流入口１７に流入する。圧縮ガスは、差圧弁機構２０のガス通口１８ａより差圧弁１８の内部に流入し、弾丸Ｂに噴射され、その結果、弾丸Ｂはバレル１１から発射される（図８Ａ）。弾丸発射の後も継続して流入するガスの圧力により、差圧弁１８が前進して差圧弁機構２０が閉弁するとともに、ガス流はシリンダー１４に導かれる（図８Ｂ）。【００４０】
ガス流のシリンダー１４内への流入によりピストン機構部１５がボルト２９と共に後退し、その過程でハンマー４０がコッキングされる（図９Ａ）。ボルト２９がある程度後退すると、ピストンストップ５０と共にピストン１３が後退を開始し、かつ、ピストンリターンスプリング２８によってボルト方向へ引き寄せられる（図９Ｂ）。【００４１】
ボルト２９はピストン機構部１５と共に最大後退位置まで後退後に停止し（図１０Ａ）、模擬銃Ｇの操作者は、この間にボルト２９の質量の移動に伴うショックを体感する。上記後退動作により蓄圧されたバッファースプリング３１が解放され、ボルト２９が前進に転じ、それと一体的に移動するピストン機構先端のノズル部１６によって、一発の弾丸Ｂが装弾部１２に装填される（図１０Ｂ）。さらにボルト２９の突部４７がシア４１を回転させることでハンマー４０が開放され、図７Ｂの状態に戻り発射動作が繰り返される（連射モード）。単射モードの場合には、ハンマー４０がディスコネクター３５に、係合部３５ａ、４０ａにて係合し停止する。その係止はトリガー３２を戻すことで外れるので、ハンマー４０はトリガー３２に係止されてコッキング状態に保持されることになる。【００４２】
本発明の銃におけるボルトストップ緩衝装置は、ボルト２９を停止させるボルトストップ部材６２を緩衝手段７０によって間接的に緩衝し、その損傷を防止して、突然の作動不全を生じないように銃を保護することができる。また、本発明の装置では、弾丸Ｂが撃ち尽くされたという弾切れを検出し、マガジンを交換して再装填するときにボルトストップ部材６２を解除することによって、再び装填レバー（チャージングハンドル）を操作する必要がなくなるという機能が維持される。
【符号の説明】
【００４３】
１０  発射装置部
１１  バレル部
１２  装弾部
１３  ピストン
１４  シリンダー
１５  ピストン機構部
１６  ノズル部
１７  ガス流入口
１８  差圧弁
１９  弁室
２０  差圧弁機構
２１  戻しばね
２２  マガジン部
２３  ガスタンク
２４  ガス流路
２５  開閉弁機構
２６  開閉弁
２７  流出口
２８  ピストンリターンスプリング
２９  ボルト
３０  可動体部
３１  バッファースプリング
３２、３２Ａ、３２Ｂ  トリガー
３３  軸
３４  トリガースプリング
３５  ディスコネクター
３６  セレクター
３７、３８  係止部
３９  ハンマースプリング
４０  ハンマー
４１  シア
４２  シアばね
４３  係合突部
４４  係合輪
４５  打圧部
４６  ノッカー
４７  ボルト突部
４８  装填レバー
５１  弾切れ検出手段
５３  フォロワー
５４  フォロワーリンク
５５  中間リンク
５６  リンク機構
５７  フォロワースプリング
５９  係合手段
６０  ボルトストップ部
６１  中継部材
６２  ボルトストップ部材
６５  軸
６６  取付け部
６７  緩衝リンク
６８  緩衝軸
６９  緩衝スプリング
７０  緩衝手段
【図１】
2016181507.tif 000003
【図２】
2016181507.tif 000004
【図３】
2016181507.tif 000005
【図４】
2016181507.tif 000006
【図５】
2016181507.tif 000007
【図６】
2016181507.tif 000008
【図７】
2016181507.tif 000009
【図８】
2016181507.tif 000010
【図９】
2016181507.tif 000011
【図１０】
2016181507.tif 000012
【国際調査報告】
2016181507.tif 000013
2016181507.tif 000014